(57)【要約】【課題】緯糸測長貯留装置において、緯入れ時における解舒緯糸と周辺部材との接触に伴う緯糸の損傷等を可及的に減少させて、織り欠点や緯入れミス等を防止する。【解決手段】緯入れ終期に拘束飛走による緯入れが行われる無杼織機における緯糸測長貯留装置において、係止ピンと貯留ドラムとの係合位置が、貯留ドラムの中心軸線の鉛直上方よりも回転ヤーンガイドの回転方向上流側であって、かつ、貯留ドラムの中心軸線を通る水平線と前記貯留ドラムの周面とが交差する位置までの範囲内となるように配置されている。【選択図】  図２
2005002506.tif 000002
【特許請求の範囲】
【請求項１】
静止状態の貯留ドラムの周囲を連続回転する回転ヤーンガイドによって緯糸を貯留ドラムに巻き付け該緯糸の係止および解舒を前記貯留ドラムの周囲に対して進退駆動される係止ピンにより行う貯留装置と、給糸体からの緯糸を上記回転ヤーンガイドへ該回転ヤーンガイドの巻き付け速度とほぼ等しい速度で連続的に送り出す測長装置とを備え、
緯入れ開始前に前記貯留ドラムに巻き付けられた緯糸が解舒されて緯入れが開始され、その後、前記測長装置から送り出される緯糸が前記回転ヤーンガイドを介して直接緯入れされる拘束飛走による緯入れが行われる型式であって、
前記係止ピンは、その前記貯留ドラムとの係合位置が、前記貯留ドラムの中心の鉛直上方位置よりも前記回転ヤーンガイドの回転方向上流側であって、かつ、前記貯留ドラムの中心を通る水平線と前記貯留ドラムの周面とが交差する位置までの範囲内となるように配置されている、
ことを特徴とする無杼織機における緯糸測長貯留装置。
【請求項２】
前記係止ピンは、該係止ピンと前記貯留ドラムの中心とを結ぶ直線が、前記貯留ドラムの中心を通る鉛直線に対し、前記回転ヤーンガイドの回転方向上流側に１０°以上の角度を為すように設けられている、
ことを特徴とする請求項１に記載の無杼織機における緯糸測長貯留装置。
【請求項３】
前記係止ピンは、該係止ピンと前記貯留ドラムの中心とを結ぶ直線が、前記貯留ドラムの中心を通る鉛直線に対し、前記回転ヤーンガイドの回転方向上流側に略４５°の角度を為すように設けられている、
ことを特徴とする請求項１に記載の無杼織機における緯糸測長貯留装置。
【請求項４】
前記係止ピンが、前記貯留ドラムの円周方向に、その取り付け位置を調整可能に設けられている、
ことを特徴とする請求項１に記載の無杼織機における緯糸測長貯留装置。
【請求項５】
静止状態の貯留ドラムの周囲を連続回転する回転ヤーンガイドによって緯糸を貯留ドラムに巻き付け該緯糸の係止および解舒を前記貯留ドラムの周囲に対して進退駆動される係止ピンにより行う貯留装置と、給糸体からの緯糸を上記回転ヤーンガイドへ該回転ヤーンガイドの巻き付け速度とほぼ等しい速度で連続的に送り出す測長装置とを備え、
緯入れ開始前に前記貯留ドラムに巻き付けられた緯糸が解舒されて緯入れが開始され、その後、前記測長装置から送り出される緯糸が前記回転ヤーンガイドを介して直接緯入れされる拘束飛走による緯入れが行われる無杼織機における緯糸測長貯留装置において、
前記拘束飛走による緯入れの期間が予め決定されると共に、緯入れ期間中の前記貯留ドラム上の緯糸の残糸量が所定長さ以下となる時点の回転ヤーンガイドの回転位置が、貯留ドラムの中心を通る水平線よりも上方となるように前記係止ピンの位置を設定する、
ことを特徴とする無杼織機における緯糸測長貯留装置の係止ピン位置設定方法。
【発明の詳細な説明】
【０００１】
【発明が属する技術分野】
本発明は、無杼織機における緯糸測長貯留装置およびその緯糸測長貯留装置における係止ピンの位置の設定方法に関し、特に、静止状態の貯留ドラムの周囲を連続回転する回転ヤーンガイドによって緯糸を貯留ドラムに巻き付け該緯糸の係止および解舒を前記貯留ドラムの周囲に対して進退駆動される係止ピンにより行う貯留装置と、給糸体からの緯糸を上記回転ヤーンガイドへ該回転ヤーンガイドの巻き付け速度とほぼ等しい速度で連続的に送り出す測長装置とを備え、緯入れ開始前に前記貯留ドラムに巻き付けられた緯糸が解舒されて緯入れが開始され、その後、前記測長装置から送り出される緯糸が前記回転ヤーンガイドを介して直接緯入れされる拘束飛走による緯入れが行われる型式の緯糸測長貯留装置に関する。
【０００２】
なお、この明細書おいて、係止ピンの位置に関する記載は、係止ピンの軸線の位置を指すものであって、例えば、「係止ピンと貯留ドラムとの係合位置」とは、係止ピンの軸線が貯留ドラムの周面と交差する位置を指すものであり、また、「係止ピンと貯留ドラムの中心とを結ぶ直線」とは、係止ピン先端の中心と貯留ドラムの中心とを結ぶ直線を指すものである。
【０００３】
【従来の技術】
上記型式の無杼織機における緯糸測長貯留装置として、特許文献１に記載されたものが知られている。この特許文献１に記載の測長貯留装置は、緯入れの終了タイミングから次回の緯入れの終了タイミングまでの期間において、予め設定された所定回数だけ連続的に回転して静止状態の貯留ドラムに対する緯糸の巻き付け動作を行う回転ヤーンガイドと、給糸体からの緯糸を、回転ヤーンガイドに対し、回転ヤーンガイドの巻き付け速度とほぼ等しい速度で連続的に送り出す測長装置とを備えている。そして、所定の緯入れの開始タイミングで、係止ピンが貯留ドラムと係合した状態から後退駆動されて緯糸を解舒可能な状態とし、これと伴に緯入ノズルから緯入れ用の圧力流体が噴射されることにより、それまでに貯留ドラム上に巻き付けられて貯留状態にある緯糸が、貯留ドラムから解舒されてバルーニングしつつ緯入れされる（自由飛走による緯入れ）。
【０００４】
また、この型式の測長貯留装置では、織機の１回転に相当する期間に亘って緯入れ１回分（１ピック分）の長さの緯糸を貯留ドラムに巻き付けるようにヤーンガイドが駆動されるため、回転ヤーンガイドによる巻き付け速度は、緯入れに伴って貯留ドラム上から緯糸が解舒される速度よりも遅く、半分もしくはそれ以下となっている。従って、緯入れ期間中では、緯入れが開始された以降でも回転ヤーンガイドによる巻き付け動作は継続されているが、貯留ドラム上の緯糸は、緯入れの進行に伴って漸次減少していく。そして、緯入れ終期において、貯留ドラム上の緯糸が全て解舒され、それ以降から緯入れ終了までは、測長装置から送り出される緯糸が、回転ヤーンガイドから直接（貯留ドラムを介さずに）引き出されて緯入れされる拘束飛走の状態となる。なお、この拘束飛走による緯入れ（以下、単に「拘束飛走」という）では、緯糸は、回転ヤーンガイドと貯留ドラムの前方のヤーンガイドとの間で一直線状となって引き出される。
【０００５】
この過程で、係止ピンは、緯入れ終了前の最後の１回転をするべく回転ヤーンガイドを通過した後に貯留ドラムの周面に向けて進出し、緯糸を係止可能な状態とされている。
【０００６】
そして、緯入れ終了のタイミングにおいて、回転ヤーンガイドが係止ピンの位置と一致する回転位置となり、緯糸が係止ピンに係止されて緯入れが終了する。そして、これ以降、次の緯入れに向けた貯留ドラムへの緯糸の巻き付けが開始される。
【０００７】
なお、上記の拘束飛走が行われる期間は、緯入れされる緯糸に対する損傷等の影響を考慮した最適なものが設定される。すなわち、特許文献１に記載されているように、上記のような型式の測長貯留装置の構成を採用する目的は、緯入れ終了時に緯糸が係止ピンに激止されて緯糸に大きな張力が作用し、これによって緯糸の損傷等が発生することを防止するためである。
【０００８】
しかし、上記拘束飛走の期間を長く設定する、言い換えると、緯入れ開始からより早いタイミングで貯留ドラム上の緯糸が全て解舒されるように緯入れが行われると、自由飛走時の緯入れ速度と拘束飛走時の緯入れ速度との差が大きくなるため、拘束飛走の開始時に、緯糸に大きな張力が作用してしまい、これが原因で緯糸の損傷等を招く虞がある。一方、拘束飛走の期間を短く設定する、言い換えると、緯入れ期間中のより長い期間に亘って緯糸が自由飛走するように緯入れが行われると、特許文献１に記載された従来の技術のような全てが自由飛走で緯入れが行われるものとより近い状態となり、この従来の技術と同様の問題が発生する。従って、拘束飛走の期間は、これらのことを考慮し、緯糸に対し最適なものが決定されて設定される。
【０００９】
【特許文献１】
特開昭６３−２１９５５号公報（特許請求の範囲等）
【００１０】
【解決しようとする課題】
ところが、上記した特許文献１に記載の測長貯留装置では、緯糸が、測長貯留装置の周辺に存在する部材等に接触し、これによって損傷する、という問題が発生する。
【００１１】
すなわち、前述のように、この型式の測長貯留装置では、緯入れの進行に伴って貯留ドラム上の緯糸は漸次減少していき、回転ヤーンガイドが緯入れ終了前の最後の１回転を行っている過程で、この回転ヤーンガイドの回転位相に貯留ドラム上の緯糸の解舒点の回転位相が追いつくことにより、回転ヤーンガイドと貯留ドラム前方のヤーンガイドとの間で緯糸が一直線状に引き出される状態となり、これ以降は、拘束飛走となる。
【００１２】
また、前述のように、拘束飛走が行われる期間は、緯糸に対し最適なものとなるように設定されるものであり、一般的には、回転ヤーンガイドが、係止ピンの位置に対し１８０°程度の回転位置となった時点から拘束飛走が開始されるように設定される。そして、特許文献１に記載の測長貯留装置では、係止ピンが、貯留ドラムの中心の鉛直上方に配置されているため、拘束飛走が開始される時期は、回転ヤーンガイドの回転位置が、緯入れ終了前の最後の１回転中における貯留ドラムの中心の鉛直下方位置付近に達した時点となる。
【００１３】
しかし、このような型式の測長貯留装置では、自由飛走による緯入れ中において、貯留ドラムに対する緯糸の巻き付け長さが漸次減少していき、回転ヤーンガイドの緯入れ終了前における最後の１回転中には、貯留ドラムに対する緯糸の巻き付け長さが１周にも満たない状態で更に減少していくこととなる。このため、拘束飛走の開始時点前（貯留ドラム上の解舒点が回転ヤーンガイドの回転位相に追いつく前であって、貯留ドラム上にまだある程度の緯糸が残っている状態）に貯留ドラム上の緯糸が一斉に解舒されるという現象が発生する。
【００１４】
これは、貯留ドラムに対する緯糸の巻き付け長さが次第に減少し、その長さが、巻き付きによって貯留ドラムに対する拘束力が得られる長さよりも短くなることによって発生すると考えられる。
【００１５】
そして、このように、拘束飛走が開始される前に、貯留ドラム上に巻き付けられていた所定長さの緯糸が一斉に解舒されてしまうと、回転ヤーンガイドと貯留ドラム前方のヤーンガイドとの間に亘る緯糸の長さがその分だけ長くなり、その結果、緯糸は、それ以前よりもより一層大きくバルーニングして引き出されることとなる。なお、このバルーニングは、回転ヤーンガイドが拘束飛走の開始時点の位置に近づくにつれて次第に小さくなり、拘束飛走が開始される時点以降は、前述のように、緯糸は、回転ヤーンガイドと貯留ドラム前方のヤーンガイドとの間で一直線状となって引き出される。
【００１６】
ところで、織機においては、測長貯留装置が織機のフレームに直接支持されて設けられる場合があり、この場合、貯留ドラムの周辺、特に貯留ドラムの下側部分の周辺に、織機のフレームの一部や測長貯留装置を支持するためのブラケット等の部材（以下、「周辺部材」という）が存在することがある。
【００１７】
そして、上記のように、貯留ドラムに対する緯糸の巻き付け長さが所定長さ以下となって拘束飛走が開始される前に発生する緯糸の大きいバルーニングが、この貯留ドラムの下部周辺に存在する周辺部材に接触してしまうという問題がある。
【００１８】
特に、拘束飛走の開始時点は、前述のように、回転ヤーンガイドの回転位置が貯留ドラムの中心の鉛直下方位置付近に達した時点に設定されている場合であっても、緯糸の物性の変化や給糸体の巻径の変化等に伴って、最大で回転ヤーンガイドの回転角度にして１０°程度遅れる場合がある。そして、これに伴って、上記した緯糸の大きいバルーニングの発生開始時点も回転ヤーンガイドの回転方向にずれる。そのため、この大きいバルーニングが周辺部材により近い位置で発生することとなり、緯糸の周辺部材と接触する長さが上記拘束飛走の開始時点の遅れに伴って増大してしまう。その結果、緯糸に大きな損傷が発生して織り欠点が生じたり、緯入れが正常に行われずに緯入れミスが発生したりしてしまう。
【００１９】
以上の従来技術の問題点を鑑み、本発明は、上記した型式の緯糸測長貯留装置において、緯入れ時における解舒緯糸と周辺部材との接触に伴う緯糸の損傷等を可及的に減少させて、織り欠点や緯入れミス等を防止することを目的とする。
【００２０】
【課題を解決するための手段】
上記目的を達成すべく、本発明の無杼織機における緯糸測長貯留装置は、静止状態の貯留ドラムの周囲を連続回転する回転ヤーンガイドによって緯糸を貯留ドラムに巻き付け該緯糸の係止および解舒を前記貯留ドラムの周囲に対して進退駆動される係止ピンにより行う貯留装置と、給糸体からの緯糸を上記回転ヤーンガイドへ該回転ヤーンガイドの巻き付け速度とほぼ等しい速度で連続的に送り出す測長装置とを備え、緯入れ開始前に前記貯留ドラムに巻き付けられた緯糸が解舒されて緯入れが開始され、その後、前記測長装置から送り出される緯糸が前記回転ヤーンガイドを介して直接緯入れされる拘束飛走による緯入れが行われる型式であって、前記係止ピンは、その前記貯留ドラムとの係合位置が、前記貯留ドラムの中心の鉛直上方位置よりも前記回転ヤーンガイドの回転方向上流側であって、かつ、前記貯留ドラムの中心を通る水平線と前記貯留ドラムの周面とが交差する位置までの範囲内となるように配置されている、ことをその要旨とする。
【００２１】
また、好ましくは、前記係止ピンと前記貯留ドラムの中心とを結ぶ直線が、前記貯留ドラムの中心を通る鉛直線に対し、前記回転ヤーンガイドの回転方向上流側に、１０°以上の角度を為すように前記係止ピンを設ければよく、更には、この角度が略４５°となるように前記係止ピンを設ければよい。
【００２２】
また、前記係止ピンは、前記貯留ドラムの円周方向に、その取り付け位置を調整可能に設けられるものとしてもよい。
【００２３】
更に、本発明の緯糸測長貯留装置における係止ピン位置の設定方法は、上記型式の緯糸測長貯留装置において、拘束飛走による緯入れの期間が予め決定されると共に、緯入れ期間中の前記貯留ドラム上の緯糸の残糸量が所定長さ以下となる時点の回転ヤーンガイドの回転位置が、貯留ドラムの中心を通る水平線よりも上方となるように前記係止ピンの位置が設定される、ことをその要旨とする。
【００２４】
なお、上記でいう「所定の長さ」とは、巻き付きによって貯留ドラムに拘束されている緯糸の巻き付け長さが減少し、その長さが短くなって貯留ドラムに対する拘束力が失われて貯留ドラム上の緯糸が一斉に解舒されてしまう時点の貯留ドラム上における緯糸の長さをいう。
【００２５】
【作用および効果】
上記した本発明の緯糸測長貯留装置によれば、係止ピンと貯留ドラムとが係合して緯糸を係止する位置、すなわち、緯入れの終了時点における回転ヤーンガイドの位置が、従来の上記型式の測長貯留装置に比べ、回転ヤーンガイドの回転方向上流側となる。従って、予め決定されている拘束飛走の期間を確保するような拘束飛走の開始時点の回転ヤーンガイドの回転位置もその回転方向の上流側となり、これに伴って貯留ドラム上の残糸量が所定長さ以下となる時点の回転ヤーンガイドの回転位置も、従来の装置に比べ、回転ヤーンガイドの回転方向上流側となる。この結果、前述のような緯糸の物性の変化や給糸体の巻径の変化等に伴って拘束飛走の開始時点の遅れが発生しても、緯糸と周辺部材との接触長さがある程度以上大きくなるのを抑えることができる。
【００２６】
特に、係止ピンと貯留ドラムとが係合する位置を、係止ピンと貯留ドラムの中心とを結ぶ直線が、貯留ドラムの中心を通る鉛直線に対し、回転ヤーンガイドの回転方向上流側に１０°以上の角度を為すように設定すれば、上記のような拘束飛走の開始時期の遅れが発生したときのほとんどの場合に対し、緯糸と周辺部材との過大な接触に伴う緯糸の損傷を防止することができる。
【００２７】
更に、係止ピンと貯留ドラムの中心とを結ぶ直線が、貯留ドラムの中心を通る鉛直線に対し、回転ヤーンガイドの回転方向上流側で為す角度を、上記１０°よりも十分に大きな角度、例えば４５°程度となるように係止ピンの位置を設定すれば、上記のような拘束飛走の開始時期の遅れに伴って緯糸と周辺部材との接触量が過大となることを防止するのみならず、この緯糸と周辺部材との接触自体を軽減することができ、使用される緯糸が損傷し易いものであっても、周辺部材との接触に伴う損傷を防止することができる。
【００２８】
なお、係止ピンの位置を、その係止ピンと貯留ドラムとの係合位置が、貯留ドラムの中心を通る水平線と貯留ドラムの周面とが交差する位置もしくはそれよりも回転ヤーンガイドの回転方向下流側となるように設定することで、周辺部材に邪魔されることなく、係止ピンの取り付けおよび調整作業等が容易に行えるものとなる。特に、上記のような４５°の角度位置付近に設定すれば、その作業は更に容易に行えるものとなる。
【００２９】
また、係止ピンを、前記貯留ドラムの円周方向に、その取り付け位置を調整可能とすることにより、上記範囲において係止ピンの位置を任意に設定することができ、係止ピンの位置を、拘束飛走の開始時点や周辺部材の位置等を考慮した最適なものに設定することができる。
【００３０】
更に、本発明の緯糸測長貯留装置における係止ピン位置の設定方法によれば、上記型式の緯糸測長貯留装置において、緯入れに伴って貯留ドラム上から解舒される緯糸の貯留ドラム上の残糸量が所定長さ以下となる時点での回転ヤーンガイドの回転位置が、周辺部材が存在する貯留ドラムの下部付近に回転ヤーンガイドが達する前であって周辺部材の高さ位置よりも高い位置となり、回転ヤーンガイドが周辺部材の存在する位置に達する時点では、バルーニングはある程度は解消されているため、緯糸と周辺部材との接触に伴う緯糸の損傷等を可及的に回避することができる。
【００３１】
【発明の実施の形態】
以下、本発明の実施の形態を図面に基づいて詳述する。
【００３２】
図１、２に示すのは本発明の一実施形態であって、無杼織機、例えば、織機のフレーム１に緯入ノズル５が固定された水噴射式織機に、本発明の緯糸測長貯留装置３を採用した具体例例を示している。緯糸測長貯留装置３は、織機のフレーム１に支持された貯留装置１０と、この貯留装置１０に支持された測長装置２０及び緯糸係止装置３０とを含む。
【００３３】
貯留装置１０は、固定カバー１１がブラケット８を介して織機のフレーム１に支持されており、この固定カバー１１内には、軸受１２を介して回転軸１３が回転可能に支持されている。また、この回転軸１３には、後端側にプーリ１３ｂが組み付けられており、このプーリ１３ｂは、図示しない織機の主軸によって駆動される駆動軸とタイミングベルト６によって作動連結されている。従って、回転軸１３は、タイミングベルト６及びプーリ１３ｂを介して織機の主軸と同期して回転駆動されるものであり、織機の１回転につき予め設定された所定回数だけ等速で連続的に回転駆動される。
【００３４】
また、回転軸１３の中間部付近には、ホルダ１７ｂが回転軸１３に回転不能に組み付けられており、このホルダ１７ｂには、ホルダ１７ｂに形成された孔１７ｄに嵌め込まれた状態で導糸管１７ｃが取付けられている。そして、この導糸管１７ｃの先端に回転ヤーンガイド１７が取付けられている。また、導糸管１７ｃの内孔は、ホルダ１７ｂの孔１７ｄを介して回転軸１３に穿設された導糸孔１３ａに連通しており、後述の測長装置２０から供給される緯糸Ｙが、ヤーンガイド９、導糸孔１３ａ及び孔１７ｄを介して導糸管１７ｃに導かれ、回転ヤーンガイド１７に供給される。
【００３５】
更に、回転軸１３の前端部には、貯留ドラム１９を形成するドラム片１９ａが取付けられたドラムホルダ１６を支持する固定ディスク１５が組み付けられており、この固定ディスク１５は軸受１４により回転軸１３に対し回転可能に組み付けられている。但し、固定ディスク１５には、その外周上に複数の永久磁石１５ａ、１５ａ、・・・が所定の間隔をおいて埋設され、一方で、固定カバー１１には、固定ディスク１５の永久磁石１５ａ、１５ａ、・・・が埋設された面と対向する面を有するマグネットケーシング１８が固定されて、このマグネットケーシング１８に永久磁石１５ａと対向配置された複数の永久磁石１８ａ、１８ａ、・・・が所定の間隔をおいて埋設されているため、固定ディスク１５は、この永久磁石１５ａと１８ａとの吸引作用により、回転軸１３の回転に伴う固定カバー１１に対する相対回転を阻止された状態となっている。
【００３６】
測長装置２０は、軸２５を介して固定カバー１１に支持された回転ローラ２１と、固定カバー１１に後端に取付けられた支持アーム２６に支持された従動ローラ２３とを含む。
【００３７】
回転ローラ２１を支持する軸２５は、軸受２２を介して固定カバー１１に回転可能に支持されている。また、軸２５にはプーリ２５ａが組み付けられており、このプーリ２５ａは、タイミングベルト６によってプーリ１３ｂと連結されている。従って、回転ローラ２１は、タイミングベルト６、プーリ２５ａ及び軸２５を介し、回転軸１３と同様に、織機の主軸と同期して回転駆動される。
【００３８】
また、従動ローラ２３は、回転ローラ２１に圧接された状態となっており、この従動ローラ２３と回転ローラ２１との間に、給糸体（図示せず）から引き出された緯糸Ｙが挟み込まれている。従って、回転ローラ２１が回転駆動されることにより、従動ローラ２３との協動で、緯糸Ｙをヤーンガイド９に向けて所定の速度で連続的に送り出す。
【００３９】
なお、この測長装置２０による緯糸Ｙの送り出し速度は、回転ヤーンガイド１７により貯留ドラム１９へ緯糸を巻き付ける巻き付け速度とほぼ等しく設定されている。すなわち、測長装置２０は、回転ヤーンガイド１７が１回転する間に貯留ドラム１巻分の緯糸を送り出し、織機の１回転に相当する期間で緯入れ１回分の長さの緯糸を等速で連続的に送り出すように設定されている。
【００４０】
緯糸係止装置３０は、固定カバー１１に固定支持されたマグネットケーシング１８に一体的に形成された支持部１８ｂに支持されており、所定のドラム片１９ａに対向するように配置されている。
【００４１】
そして、この緯糸係止装置３０は、その内部に電磁ソレノイド等の駆動手段（図示せず）を備えると共に、この駆動手段によって進退駆動される係止ピン３１を備えている。そして、この係止ピン３１が、対向するドラム片１９ａに形成された挿入孔１９ｂに向けて進退駆動されることにより、緯糸の係止及び貯留ドラム１９上からの緯糸の解舒が可能となる。
【００４２】
緯糸測長貯留装置３の前方には、フレーム１上に載置されたクランパ７及びクランパ７の前後に備えられたヤーンガイド４ａ、４ｂが設けられており、緯糸測長貯留装置３の貯留ドラム１９から引き出された緯糸Ｙは、ヤーンガイド４ａ、クランパ７及びヤーンガイド４ｂを介して緯入ノズル５に導かれている。
【００４３】
以上の構成からなる無杼織機における緯糸測長貯留装置３の作用は概ね前述の通りである。すなわち、図３に基づいて説明すると、緯入れを終了させるタイミング（図示の例では、織機クランク角の２７０°）で、回転ヤーンガイド１７の回転位置が係止ピン３１の位置にほぼ一致するように設定されており、従って、回転ヤーンガイド１７から引き出されている緯糸Ｙは、この緯入れ終了時点において係止ピン３１に係止され、再び貯留ドラム１９への巻き付けが開始される。また、回転ヤーンガイド１７は、この緯入れ終了時点から織機の１回転に相当する期間（次回の緯入れ終了時点まで）に亘り、予め設定されている所定の回数（図示の例では５回転）だけ連続的に回転し、貯留ドラム１９への緯糸Ｙの巻き付け動作を行う。
【００４４】
その後、再び緯入れ開始のタイミング（図示の例では、織機クランク角の９０°）となると、係止ピン３１が後退して貯留ドラム１９上から緯糸Ｙが解除可能な状態になると共に、緯入ノズル５の圧力流体の噴射及びクランパ７の把持解除によって緯入れが開始され、それまでに貯留ドラム１９上に巻き付けられた緯糸Ｙが解舒されつつ自由飛走状態で緯入れされる。また、この緯入れ期間中では、緯入れによる解舒速度が回転ヤーンガイド１７による巻き付け速度よりも大きいため、貯留ドラム１９上の緯糸Ｙは漸次減少する。
【００４５】
そして、緯入れ終了前の最後の１回転（第５ターン目の巻き付け動作）を行うべく係止ピン３１の位置を通過した後、係止ピン３１が対向するドラム片１９ａの挿入孔１９ｂに向けて進出し、緯糸Ｙを係止可能な状態となる。その後、貯留ドラム１９上の緯糸Ｙが全て解舒され、回転ヤーンガイド１７とヤーンガイド１４ａとの間で緯糸Ｙが一直線状となった時点から、拘束飛走による緯入れが開始される。なお、拘束飛走の開始時点は、回転ヤーンガイド１７が、係止ピン３１の位置から半周（１８０°）程度回転した時点に設定されている。そして、これ以降、緯入れ終了時点まで拘束飛走による緯入れが行われ、緯入れ終了時点から再び以上の動作が繰り返される。
【００４６】
このような型式の緯糸測長貯留装置において、図示の例では、貯留装置１０の係止ピン３１が、貯留ドラム１９の中心Ｃの鉛直上方位置に設けられる従来の型式（図２の点線）よりも回転ヤーンガイド１７の回転方向（図２の矢印Ｋの方向）上流側であって、この係止ピン３１と貯留ドラム１９の中心Ｃとを結ぶ直線Ｌ、すなわち、係止ピン３１の貯留ドラム１９への係合位置と貯留ドラム１９の中心Ｃとを結ぶ直線Ｌが、貯留ドラム１９の中心Ｃを通る鉛直線Ｖに対し４５°の角度を為すように配置されている（なお、図１では、係止ピン３１（緯糸係止装置３０）が貯留ドラム１９の中心Ｃの鉛直上方位置に設けられているように図示されているが、これは、緯糸係止装置３０の構成を理解しやすいように便宜上その様に示しただけであって、実際には、図２と同様に、中心Ｃを通る鉛直線Ｖに対し４５°の角度を為すように配置されている）。
【００４７】
従って、この貯留装置１０では、緯入れ終了時点における回転ヤーンガイド１７の回転位置が、中心Ｃの鉛直上方位置に対し４５°だけ先行した位置となり、これに伴って、拘束飛走の開始時点も、緯入れ終了前の最後の１回転中における回転ヤーンガイド１７の回転位置が中心Ｃの鉛直下方位置付近よりも４５°先行した位置に達した時点となる。
【００４８】
この結果、貯留ドラム１９上の緯糸Ｙの残糸量が所定長さ以下となって一斉に解舒されてしまう時点、すなわち、前述のような緯糸の大きいバルーニングの発生開始時点における回転ヤーンガイド１７の回転位置が、貯留ドラム１９の下部周辺に存在するフレーム１等の周辺部材よりも上方に位置する中心Ｃを通る水平線Ｈよりも更に高い位置となる。そして、この緯糸Ｙのバルーニングは、回転ヤーンガイド１７の位置を起点として発生しているため、回転ヤーンガイド１７が上記のように高い位置にある状態では、上記の大きくバルーニングした緯糸Ｙが周辺部材に接触することはない。
【００４９】
また、この緯糸Ｙのバルーニングは、回転ヤーンガイド１７が、拘束飛走が開始される時点の回転位置に近づくにつれて次第に小さくなるため、回転ヤーンガイド１７が周辺部材の存在する位置の近傍に達した時点では、緯糸Ｙのバルーニングは小さくなっている。従って、緯糸Ｙの周辺部材に接触する長さは十分に小さくなり、これによって、緯糸Ｙが損傷することを可及的に回避することができる。
【００５０】
更に、この図示の貯留装置１０では、係止ピン３１が、貯留ドラム１９の円周方向に沿って、位置調整可能となっている。詳しくは、支持部１８ｂを介して緯糸係止装置３０を支持するマグネットケーシング１８は、その外周に沿って形成された長孔１８ｃを介してネジ部材１１ａにより固定カバー１１に固定されている。従って、マグネットケーシング１８は、ネジ部材１１ａを緩めることにより、長孔１８ｃに沿って固定カバー１１に対し回転可能となり、このマグネットケーシング１８の回転によって、緯糸係止装置３０は、長孔１８ｃの範囲で、貯留ドラム１９の円周方向に沿って位置を変更することができる。
【００５１】
また、ドラムホルダ１６を介して貯留ドラム１９のドラム片１９ａを支持する固定ディスク１５は、前述のように、永久磁石１５ａと１８ａとの吸引作用により、マグネットケーシング１８に対する相対回転が阻止されている。従って、上記のようにマグネットケーシング１８を固定カバー１１に対し回転させると、これに伴って固定ディスク１５も同じだけ回転する。よって、緯糸係止装置３０の位置を変更した場合でも、緯糸係止装置３０とこれに対向するドラム片１９ａとの位置関係は変わらず、係止ピン３１と対向するドラム片１９ａの挿入孔１９ｂとは、対向した状態を維持される。
【００５２】
なお、係止ピン３１の位置調整範囲は、長孔１８ｃの形成長さによって自由に設定することができる。従って、貯留ドラム１９の中心Ｃの鉛直上方位置よりも回転ヤーンガイド１７の回転方向上流側であって、かつ、中心Ｃを通る水平線Ｈまでの範囲内における所望の範囲で、係止ピン３１の貯留ドラム１９への係合位置が調整できるように、長孔１８ｃを適宜形成すればよい。
【００５３】
【その他の実施形態】
上記した実施例では、係止ピン３１（係止ピン３１と貯留ドラム１９との係合位置）と貯留ドラム１９の中心Ｃとを結ぶ直線Ｌが、中心Ｃを通る鉛直線Ｖに対し４５°の角度を為すように係止ピン３１が配置されているが、本発明における係止ピン３１の配置はこれに限定されるものではなく、係止ピン３１が、中心Ｃを通る鉛直線Ｖよりも回転ヤーンガイド１７の回転方向上流側であって、かつ、中心Ｃを通る水平線Ｈまでの範囲（係止ピン３１と中心Ｃとを結ぶ直線Ｌが鉛直線Ｖに対し最大で９０°を為すまでの範囲）に設けられるものであればよい。
【００５４】
そして、このような本発明の構成によれば、上記型式の従来の緯糸測長貯留装置に比べ、回転ヤーンガイドの緯入れ終了前の最後の１回転中であって拘束飛走が開始される前に発生する緯糸と貯留ドラムの下部周辺に存在する周辺部材との過大な接触を軽減することができる。
【００５５】
特に、係止ピン３１の位置を、係止ピン３１と中心Ｃとを結ぶ直線Ｌが鉛直線Ｖに対し１０°もしくはそれよりも大きい角度を為すように設定するので、緯糸の物性の変化や給糸体の巻径の変化に伴う拘束飛走の開始時点の遅れにより緯糸Ｙと周辺部材とが過大に接触し、それが原因で緯糸が損傷を受けることを防止できる。
【００５６】
更に、上記実施例のように、係止ピン３１の位置を、係止ピン３１と中心Ｃとを結ぶ直線Ｌと鉛直線Ｖとが為す角度が上記した１０°よりも十分に大きいものとなるように設定することにより、緯糸Ｙと周辺部材との接触自体を、僅かなものか、もしくはほとんど無いものとすることができ、損傷等を受けやすい緯糸であっても、周辺部材との接触による損傷を回避することができる。
【００５７】
なお、上記範囲内での係止ピン３１の位置の設定は、緯入れされる緯糸Ｙの種類や回転ヤーンガイド１７の回転数等を考慮して適宜に設定すればよい。また、回転ヤーンガイド１７の緯入れ終了前の最後の１回転中の貯留ドラム１９上の緯糸Ｙの残糸量が所定長さ以下となる時点、すなわち、前述した貯留ドラム１９上から緯糸Ｙが一斉に解舒されてしまう時点における回転ヤーンガイド１７の回転位置と周辺部材の高さ位置とを考慮し、その時点における回転ヤーンガイド１７の回転位置が、少なくとも貯留ドラム１９の中心Ｃを通る水平線Ｈよりも高い位置となるように係止ピン３１の位置を設定するようにしてもよい。
【００５８】
また、本発明では、係止ピン３１の位置を、回転ヤーンガイド１７の上流側において、係止ピン３１と中心Ｃとを結ぶ直線Ｌと鉛直線Ｖとの為す角度が最大で９０°となるような範囲内に設定することで、緯糸係止装置３０の取り付け、位置決めや調整等が支障なく行える。
【００５９】
上記した実施例では、緯糸係止装置３０（係止ピン３１）の位置を、貯留ドラム１９の円周方向に沿って変更可能とする構成として、緯糸係止装置３０を支持するマグネットケーシング１８を固定カバー１１に対し回転可能とするものとしたが、これに代えて、例えば、図４〜６に示す構成としてもよい。
【００６０】
図４〜６に示す構成では、緯糸係止装置３０は、マグネットケーシング１８ではなく、固定カバー１１に支持されており、固定カバー１１の周面に取付けられたガイド１１ｂに対しブラケット３３を介して取付けられている。
【００６１】
また、ガイド１１ｂは、固定カバー１１の周面上において、上方位置から回転ヤーンガイド１７の回転方向上流側へ約１／４周の範囲に亘って延在し、その両端において、固定カバー１１に一体的に設けられた支持部１１ｃ、１１ｃの上端にネジ部材１１ｄ、１１ｄによって取付けられている。従って、支持部１１ｃ、１１ｃ間では、ガイド１１ｂと固定カバー１１との間には、支持部１１ｃの高さ分だけ間隙が存在している。また、ガイド１１ｂには、図６に示すように、支持部１１ｃ、１１ｃ間に、ブラケット３３に螺挿されたネジ部材３３ａ、３３ａが挿通される長孔１１ｅ、１１ｅが形成されている。
【００６２】
そして、ガイド１１ｂのブラケット３３と反対の側、すなわち、固定カバー１１とガイド１１ｂとの間の間隙のブラケット３３に対応する位置には、固定部材３３ｂが設けられており、この固定部材３３ｂにネジ部材３３ａがねじ込まれている。
【００６３】
従って、この実施例における貯留装置では、ネジ部材３３ａ、３３ａを締め付けることにより、ブラケット３３と固定部材３３ｂとでガイド１１ｂを締め付けた状態となり、これにより、ガイド１１ｂに対するブラケット３３の位置が固定される。逆に、ネジ部材３３ａ、３３ａを緩めることにより、ブラケット３３と固定部材３３ｂとによるガイド１１ｂの締め付け状態が解除され、ブラケット３３は、長孔１１ｅに沿ってガイド１１ｂの長手方向に移動可能となる。そして、これにより、緯糸係止装置３０（係止ピン３１）の貯留ドラム１９の円周方向の位置が調整される。
【００６４】
なお、この構成の場合、係止ピン３１が貯留ドラム１９と独立して位置調整されるため、係止ピン３１の位置の変更に合わせて貯留ドラム１９のドラム片１９ａの円周方向の位置を変更し、ドラム片の挿入孔１９ｂが係止ピン３１に対向する位置となるように調整しなければならない。
【００６５】
このドラム片１９ａの位置調整については、前述のように、ドラム片１９ａを支持する固定ディスク１５は、回転軸１３に対し回転可能であって、永久磁石１５ａ及び１８ａの吸引作用により固定カバー１１に対する回転位相が維持されるものであるため、この永久磁石の吸引力よりも大きい力を作用させることにより固定ディスク１５を回転させることは可能である。従って、係止ピン３１の円周方向への位置調整に合わせ、作業者がそれと同じ方向に固定ディスク１５を回転させることで、挿入孔１９ｂが形成されたドラム片１９ａを再び係止ピン３１に対向させることができる。
【００６６】
但し、固定ディスク１５の回転位置は、永久磁石の１ピッチ単位での調整となるため、係止ピン３１の位置とドラム片１９の挿入孔１９ｂの位置とが必ずしも一致しない場合が生じる。この場合は、図１、２の実施例と同様の構成、すなわち、マグネットケーシング１８に形成された長孔１８ｃ及びネジ部材１１ａの構成を用い、マグネットケーシング１８を若干回転させて係止ピン３１と挿入孔１９とのずれを微調整するようにすればよい。
【００６７】
緯糸係止装置３０（係止ピン３１）の位置を、貯留ドラム１９の円周方向に沿って変更可能とする構成としては、以上の構成以外に、図７、８に記載した構成も考えられる。なお、図７、８に記載の構成は、いずれも図１、２の実施例と同様に、緯糸係止装置３０がマグネットケーシング１８に支持される場合のものであるが、その記載では、緯糸係止装置及びその支持の構成については省略してある。
【００６８】
図７、８の構成では、いずれもマグネットケーシング１８は、その外周面１８ｄで固定カバー１１の先端部１１ｆの内側に嵌め込まれており、この先端部１１ｆの内周面に沿って摺動して回転するようになっている。
【００６９】
そして、図７の構成では、固定カバー１１に対するマグネットケーシング１８ｄの回転阻止手段として、固定カバー１１及びマグネットケーシング１８の両者の先端面に当接する押圧固定部材３４が設けられている。この押圧固定部材３４は、ネジ部材３４ａによって固定カバー１１の先端面１１ｇに固定されており、かつマグネットケーシング１８の先端面１８ｅに当接してネジ部材３４ａを締め付けることによりこの先端面１８ｅに押圧されるようになっている。従って、この図７の構成では、ネジ部材３４ａを締め付けることによって、固定カバー１１とマグネットケーシング１８とが相対回転を阻止された状態となり、また、ネジ部材３４ａを緩めることにより、固定カバー１１とマグネットケーシング１８とが相対回転可能な状態となって、固定カバー１１に対するマグネットケーシング１８の回転位相を調整可能となる。
【００７０】
また、図８の構成では、固定カバー１１に対するマグネットケーシング１８ｄの回転阻止手段として、固定カバー１１の先端部１１ｆに螺挿された押しネジ３５が設けられており、この押しネジ３５は、ねじ込んでいくことによって、その先端部がマグネットケーシング１８の外周面１８ｄに当接するようになっている。従って、この図８の構成では、押しネジ３５をねじ込んでいくことによって、押しネジ３５の先端部がマグネットケーシング１８の外周面１８ｄに押し当てられ、これによって、固定カバー１１とマグネットケーシング１８とが相対回転を阻止された状態となり、また、押しネジ３５を戻すことによって、固定カバー１１とマグネットケーシング１８とが相対回転可能な状態となり、固定カバー１１に対するマグネットケーシング１８の回転位相を調整可能となる。
【００７１】
なお、本発明は上記のいずれの実施形態にも限定されるものではなく、本発明の趣旨を逸脱しない限りにおいて種々に変更することが可能である。
【図面の簡単な説明】
【図１】本発明の緯糸測長貯留装置の一実施形態を示す一部断面側面図。
【図２】図１に示す実施形態における要部正面図。
【図３】本発明の緯糸測長貯留装置の動作を示すタイミングチャート。
【図４】本発明の緯糸測長貯留装置の他の実施形態の要部を示す一部断面側面図。
【図５】図４に示す実施形態における要部正面図。
【図６】図４に示す実施形態における緯糸係止装置の位置調整機構を示す概略図。
【図７】本発明の緯糸測長貯留装置の他の実施形態の要部を示す断面側面図。
【図８】本発明の緯糸測長貯留装置の他の実施形態の要部を示す断面側面図。
【符号の説明】
１        織機フレーム
３        緯糸測長貯留装置
５        緯入ノズル
１０      貯留装置
１７      回転ヤーンガイド
１９      貯留ドラム
１９ａ    ドラム片
１９ｂ    係止ピンの挿入孔
２０      測長装置
２１      回転ローラ
２３      従動ローラ
３０      緯糸係止装置
３１      係止ピン
Ｙ        緯糸
Ｃ        貯留ドラムの中心
Ｖ        鉛直線
Ｈ        水平線
【図１】
2005002506.tif 000003
【図２】
2005002506.tif 000004
【図３】
2005002506.tif 000005
【図４】
2005002506.tif 000006
【図５】
2005002506.tif 000007
【図６】
2005002506.tif 000008
【図７】
2005002506.tif 000009
【図８】
2005002506.tif 000010